(57)【要約】【課題】本発明の課題は、書斎や洗面所やクローゼットなどの小部屋に適した小形の空気調和機の室内ユニットを提供することにある。【解決手段】室内ユニット２では、第１熱交換部１２ａの下端部１２ａａと第２熱交換部１２ｂの下端部１２ｂａとが水平方向に距離Ｇを保って互いに離れているので、第１熱交換部１２ａと第２熱交換部１２ｂとの間に位置するファン１３を室内熱交換器１２の下端側に寄せることができ、室内熱交換器１２に対するファン１３の高さ位置を隙間（距離Ｇ）が無い場合よりも低くすることができる。その結果、ケーシング２２の高さ寸法Ｌをファン１３の直径Ｄの２倍の寸法以下に設定することが可能となり、室内ユニット２の小形化が実現される。【選択図】図２
2017227423.tif 000002
【特許請求の範囲】
【請求項１】
天井に埋め込まれ、又は天井に設置される空気調和機の室内ユニットであって、
ケーシング（２２）と、
前記ケーシング（２２）内に収容されるクロスフローファン（１３）と、
前記ケーシング（２２）内に収容され、複数の伝熱管（１２１）を有する第１熱交換部（１２ａ）及び第２熱交換部（１２ｂ）を含む熱交換器（１２）と、
を備え、
前記第１熱交換部（１２ａ）と前記第２熱交換部（１２ｂ）とは、前記クロスフローファン（１３）の外周面を挟んで使用状態における前記ケーシング（２２）の高さ方向の上方に向かって開くように互いに逆向きに傾斜し、且つ前記第１熱交換部（１２ａ）と前記第２熱交換部（１２ｂ）の下端部同士が前記クロスフローファン（１３）側から視て離れているように隙間（Ｇ）を保った状態で配置されており、
前記隙間（Ｇ）には、前記隙間（Ｇ）を塞ぐシール部材（１７）が配置され、
前記ケーシング（２２）の高さは、前記クロスフローファン（１３）の直径の２倍の寸法以下に設定されている、
空気調和機の室内ユニット。
【請求項２】
前記伝熱管（１２１）は空気流れ方向に３列以上に配置される、
請求項１に記載の空気調和機の室内ユニット。
【請求項３】
前記伝熱管（１２１）の管径は、４ｍｍ〜５ｍｍの範囲内である、
請求項１又は請求項２に記載の空気調和機の室内ユニット。
【請求項４】
前記第１熱交換部（１２ａ）及び前記第２熱交換部（１２ｂ）は、前記伝熱管（１２１）の両端部を支持する管板（１２３）をさらに有し、
前記シール部材（１７）は、前記管板（１２３）に固定される、
請求項１から請求項３のいずれか１項に記載の空気調和機の室内ユニット。
【請求項５】
前記シール部材（１７）は金属製である、
請求項１から請求項４のいずれか１項に記載の空気調和機の室内ユニット。
【請求項６】
前記隙間（Ｇ）の水平距離は、前記熱交換器（１２）の最大水平寸法の５〜２０％の範囲内に設定されている、
請求項１から請求項５のいずれか１項に記載の空気調和機の室内ユニット。
【発明の詳細な説明】
【技術分野】
【０００１】
本発明は、空気調和機の室内ユニットに関する。
【背景技術】
【０００２】
近年、書斎や洗面所やクローゼットなど小部屋を空調するニーズが高まっており、そのような小部屋に設置可能で、壁・天井からはみ出ないタイプの小形の空気調和機が要望されている。小形の空気調和機としては、例えば、特許文献１（特開平９−１４５１４３号公報）に開示されている天井埋込型空気調和機が公知である。
【０００３】
上記空気調和機の室内ユニットでは、ファンが二つの熱交換器の間に配置されることによって、高さ寸法の小形化が図られている。
【発明の概要】
【発明が解決しようとする課題】
【０００４】
しかしながら、上記空気調和機は、リビングなどの大部屋にも対応できることを前提としているので、書斎や洗面所やクローゼットなどの小部屋に対応したサイズに至っていない。
【０００５】
本発明の課題は、書斎や洗面所やクローゼットなどの小部屋に適した小形の空気調和機の室内ユニットを提供することにある。
【課題を解決するための手段】
【０００６】
本発明の第１観点に係る空気調和機の室内ユニットは、天井に埋め込まれ、又は天井に設置される空気調和機の室内ユニットであって、ケーシングと、クロスフローファンと、熱交換器とを備えている。クロスフローファン及び熱交換器は、ケーシング内に収容されている。また、熱交換器は、複数の伝熱管を有する第１熱交換部および第２熱交換部を含んでいる。第１熱交換部と第２熱交換部とは、クロスフローファンの外周面を挟んで使用状態におけるケーシングの高さ方向の上方に向かって開くように互いに逆向きに傾斜し、且つ第１熱交換部と第２熱交換部の下端部同士がクロスフローファン側から視て離れているように隙間を保った状態で配置されている。隙間には、その隙間を塞ぐシール部材が配置されている。ケーシングの高さは、クロスフローファンの直径の２倍の寸法以下に設定されている。
【０００７】
この室内ユニットでは、第１熱交換部と第２熱交換部との互いに近接する端部同士が水平方向に隙間を保って互いに離れているので、第１熱交換部と第２熱交換部との間に位置するクロスフローファンを各熱交換部の近接する端部側に寄せることができ、熱交換器に対するクロスフローファンの高さ位置を隙間が無い場合よりも低くすることができる。その結果、ケーシングの高さをクロスフローファンの直径の２倍の寸法以下に設定することが可能となり、室内ユニットの小形化が実現される。
【０００８】
本発明の第２観点に係る空気調和機の室内ユニットは、第１観点に係る空気調和機の室内ユニットであって、伝熱管が空気流れ方向に３列以上に配置されている。
【０００９】
この室内ユニットでは、伝熱管が３列以上配置されるので、室内ユニットの小形化により熱交換器が小形化しても、容量低下とならない。
【００１０】
本発明の第３観点に係る空気調和機の室内ユニットは、第１観点又は第２観点に係る空気調和機の室内ユニットであって、伝熱管の管径が４ｍｍ〜５ｍｍの範囲内である。
【００１１】
この室内ユニットでは、伝熱管の管径が４ｍｍ〜５ｍｍの範囲内に設定されることによって、室内ユニットの小形化による熱交換器の小形化に対応することができる。
【００１２】
本発明の第４観点に係る空気調和機の室内ユニットは、第１観点から第３観点のいずれか１つに係る空気調和機の室内ユニットであって、第１熱交換部および第２熱交換部が、伝熱管の両端部を支持する管板をさらに有している。シール部材は、管板に固定されている。
【００１３】
この室内ユニットでは、伝熱管を支持する管板は、一般的に伝熱管よりも剛性が高く頑丈な金属材料が選択されているので、シール部材の支持に適している。
【００１４】
本発明の第５観点に係る空気調和機の室内ユニットは、第１観点から第４観点のいずれか１つに係る空気調和機の室内ユニットであって、シール部材が金属製である。
【００１５】
この室内ユニットでは、シール部材自体が頑丈になるので、シール部材が管板に取り付けられた後の熱交換器全体の剛性が増し、組立時の取り扱いが容易になる。
【００１６】
本発明の第６観点に係る空気調和機の室内ユニットは、第１観点から第５観点のいずれか１つに係る空気調和機の室内ユニットであって、隙間の水平距離が、熱交換器の最大水平寸法の５〜２０％の範囲内に設定されている。
【００１７】
この室内ユニットでは、その隙間を広げ過ぎると熱交換器の水平方向の寸法が拡大し、隙間を狭め過ぎると熱交換器に対するクロスフローファンの位置を高くせざるを得ない。両者のバランスを鑑みて隙間の水平距離は、熱交換器の最大水平寸法の５〜２０％の範囲内に設定されることが望ましい。
【発明の効果】
【００１８】
本発明の第１観点に係る空気調和機の室内ユニットでは、第１熱交換部と第２熱交換部の下端部同士が水平方向に隙間を保って互いに離れているので、第１熱交換部と第２熱交換部との間に位置するクロスフローファンを各熱交換部の近接する端部側に寄せることができ、熱交換器に対するクロスフローファンの高さ位置を隙間が無い場合よりも低くすることができる。その結果、ケーシングの高さをクロスフローファンの直径の２倍の寸法以下に設定することが可能となる。したがって、室内ユニットの小形化が実現される。
【００１９】
本発明の第２観点に係る空気調和機の室内ユニットでは、伝熱管が３列以上配置されるので、室内ユニットの小形化により熱交換器が小形化しても、容量低下とならない。
【００２０】
本発明の第３観点に係る空気調和機の室内ユニットでは、伝熱管の管径が４ｍｍ〜５ｍｍの範囲内に設定されることによって、室内ユニットの小形化による熱交換器の小形化に対応することができる。
【００２１】
本発明の第４観点に係る空気調和機の室内ユニットでは、伝熱管を支持する管板は、一般的に伝熱管よりも剛性が高く頑丈な金属材料が選択されているので、シール部材の支持に適している。
【００２２】
本発明の第５観点に係る空気調和機の室内ユニットでは、シール部材自体が頑丈になるので、シール部材が管板に取り付けられた後の熱交換器全体の剛性が増し、組立時の取り扱いが容易になる。
【００２３】
本発明の第６観点に係る空気調和機の室内ユニットでは、その隙間を広げ過ぎると熱交換器の水平方向の寸法が拡大し、隙間を狭め過ぎると熱交換器に対するクロスフローファンの位置を高くせざるを得ない。両者のバランスを鑑みて隙間の水平距離は、熱交換器の最大水平寸法の５〜２０％の範囲内に設定されることが望ましい。
【図面の簡単な説明】
【００２４】
【図１】本発明の一実施形態に係る室内ユニットを使用した空気調和機の概略構成図。
【図２】室内ユニットの断面図。
【図３】室内ユニットから化粧パネルを取り外して内部を可視化した当該室内ユニットの斜視図。
【図４】室内熱交換器の斜視図。
【図５】シール部材及び管板の斜視図。
【図６Ａ】変形例におけるシール部材および管板の固定前の斜視図。
【図６Ｂ】変形例におけるシール部材および管板の固定後の斜視図。
【図７】本発明の一実施形態に係る室内ユニットの内部を天井側から視たときの当該室内ユニットの内部平面図。
【発明を実施するための形態】
【００２５】
以下図面を参照しながら、本発明の実施形態について説明する。なお、以下の実施形態は、本発明の具体例であって、本発明の技術的範囲を限定するものではない。
【００２６】
（１）空気調和機１の構成
図１は、本発明の一実施形態に係る室内ユニット２を使用した空気調和機１の概略構成図である。空気調和機１は、蒸気圧縮式の冷凍サイクル運転によって、室内の冷暖房を行なう。空気調和機１は、主として、熱源ユニットとしての室外ユニット３と、それに並列に接続される利用ユニットとしての室内ユニット２とを備えている。冷媒回路１０は、室外ユニット３と、室内ユニット２と、冷媒連絡配管とが接続されることによって構成される。
【００２７】
（１−１）室外ユニット３
室外ユニット３は、室外に設置されており、圧縮機３１、四路切換弁３２、室外熱交換器３３、及び膨張弁３４を有している。圧縮機３１は、回転数制御によって容量を変更できるインバータ圧縮機である。
【００２８】
四路切換弁３２は、冷媒の流れの方向を切り換える弁である。冷房運転時には、圧縮機３１の吐出側と室外熱交換器３３のガス側とを連絡し、室内熱交換器１２のガス側と圧縮機３１の吸入側とを連絡する（図１の四路切換弁３２の実線を参照）。また、暖房運転時には、圧縮機３１の吐出側と室内熱交換器１２のガス側とを連絡し、圧縮機３１の吸入側と室外熱交換器３３のガス側とを連絡する（図１の四路切換弁３２の破線を参照）。
【００２９】
室外熱交換器３３は、伝熱管と多数のフィンとにより構成されたクロスフィン式のフィン・アンド・チューブ型熱交換器であり、冷房運転時には冷媒の凝縮器となり、暖房運転時には冷媒の蒸発器となる。
【００３０】
膨張弁３４は、電動膨張弁であり、冷媒回路１０内を流れる冷媒の圧力や流量等の調節を行うために、室外熱交換器３３と室内熱交換器１２との間に接続される。
【００３１】
（１−２）室内ユニット２
図２は、室内ユニット２の断面図である。また、図３は、室内ユニット２から化粧パネル２１を取り外して内部を可視化した当該室内ユニット２の斜視図である。図２及び図３において、室内ユニット２は、化粧パネル２１とケーシング２２とで外観が構成されている。室内ユニット２は、室内の天井に埋め込み、又は吊り下げによって設置される。
【００３２】
室内ユニット２が天井に埋め込まれる場合、実際に天井面に埋め込まれるのはケーシング２２であって、化粧パネル２１は天井面に露出する。化粧パネル２１は、吸込口２０ａ及び吹出口２０ｂの輪郭を形成している。運転時、吹出口２０ｂが開き、ファン１３が回転し、空気が吸込口２０ａから吸い込まれ、吹出口２０ｂから吹出される。
【００３３】
室内熱交換器１２は、伝熱管と多数のフィンとにより構成されたクロスフィン式のフィン・アンド・チューブ型熱交換器であり、冷房運転時には冷媒の蒸発器となって室内空気を冷却し、暖房運転時には冷媒の凝縮器となって室内空気を加熱する。
【００３４】
（２）空気調和機１の動作
（２−１）冷房運転
冷房運転時は、四路切換弁３２が図１の実線で示される状態となり、圧縮機３１の吐出側が室外熱交換器３３のガス側に連絡され、かつ、圧縮機３１の吸入側が室内熱交換器１２のガス側に連絡された状態となる。
【００３５】
その状態で、圧縮機３１が起動されると、圧縮機３１から吐出された高温・高圧のガス冷媒が室外熱交換器３３に導入される。ガス冷媒は、室外熱交換器３３で室外空気と熱交換して凝縮し高温高圧の液冷媒となり膨張弁３４に向う。高温高圧の液冷媒は、膨張弁３４で減圧されて低温・低圧の気液二相冷媒となり、室内熱交換器１２に入る。この気液二相冷媒は、室内熱交換器１２で室内空気と熱交換しガス冷媒となり、再び圧縮機３１に吸入される。
【００３６】
冷房運転時、吹出口２０ｂが開き、ファン１３が回転し、吸込口２０ａから吸い込まれた室内空気は、室内熱交換器１２を通過する際に冷却されて、吹出口２０ｂから吹出される。
【００３７】
（２−２）暖房運転
暖房運転時は、四路切換弁３２が図１の破線で示される状態となり、圧縮機３１の吐出側が室内熱交換器１２のガス側に連絡され、圧縮機３１の吸入側が室外熱交換器３３のガス側に連絡される。膨張弁３４は、室外熱交換器３３へ向う冷媒を室外熱交換器３３において蒸発させることが可能な蒸発圧力まで減圧するため、開度調節される。
【００３８】
その状態で、圧縮機３１が起動されると、圧縮機３１より吐出された高温・高圧のガス冷媒が室内熱交換器１２に導入される。ガス冷媒は、室内熱交換器１２で室内空気と熱交換して凝縮し高温高圧の液冷媒となる。室内熱交換器１２を出た液冷媒は、膨張弁３４で減圧されて低温・低圧の気液二相冷媒となり、室外熱交換器３３に入る。この気液二相冷媒は、室外熱交換器３３で室外空気と熱交換しガス冷媒となり、再び圧縮機３１に吸入される。
【００３９】
暖房運転時、吹出口２０ｂが開き、ファン１３が回転し、吸込口２０ａから吸い込まれた室内空気は、室内熱交換器１２を通過する際に加熱されて、吹出口２０ｂから吹出される。
【００４０】
（３）室内ユニット２の詳細構成
図２に示すように、ケーシング２２は、フィルタ９、室内熱交換器１２、ファン１３、及びドレンパン１４を収容している。以下、各部の詳細を説明する。
【００４１】
（３−１）フィルタ９
フィルタ９は、室内熱交換器１２の空気流れの上流側に配置され、室内から取り込まれた空気から塵埃を除去する。これにより、フィルタ９は、空気中に浮遊する塵埃が室内熱交換器１２の表面を汚染することを防止している。
【００４２】
（３−２）室内熱交換器１２
図４は、室内熱交換器１２の斜視図である。図４において、室内熱交換器１２は、複数の伝熱管１２１、複数のフィン１２２、及び管板１２３を有している。複数のフィン１２２は、所定の間隔を開けて並列に積層されている。複数の伝熱管１２１は、積層された複数のフィン１２２を厚み方向に貫通している。管板１２３は、積層された複数のフィン１２２を両側から挟むように配置され、伝熱管１２１の両端部を支持している。
【００４３】
伝熱管１２１は、管外径寸法が４ｍｍの銅管であって、空気流れ方向に沿って３列配置されている。管径を４ｍｍとすることによって室内熱交換器１２の小形化を図りつつ、小形化による弊害である容量不足を伝熱管１２１の３列配置によって解消している。
【００４４】
また、図２に示すように、室内熱交換器１２は、異なる傾斜姿勢で横方向に隣接する２つの熱交換部で構成されており、図２正面視左側の熱交換部を第１熱交換部１２ａ、右側の熱交換部を第２熱交換部１２ｂと呼ぶ。
【００４５】
図２において、第１熱交換部１２ａと第２熱交換部１２ｂとは、ファン１３外周を挟んで対峙し、両者の上端部の間隔が両者の下端部の間隔よりも大きくなるように、互いに逆向きに傾斜している。
【００４６】
第１熱交換部１２ａ及び第２熱交換部１２ｂの下端部同士の隙間は、第１熱交換部１２ａと第２熱交換部１２ｂを通過すべき空気が第１熱交換部１２ａ及び第２熱交換部１２ｂを通過することなく当該隙間を通過する、いわゆるバイパス現象を招くので、本実施形態では、当該隙間はシール部材１７で塞がれている。
【００４７】
以下、第１熱交換部１２ａ、第２熱交換部１２ｂ及びシール部材１７について説明する。
【００４８】
（３−２−１）第１熱交換部１２ａ
図２において、第１熱交換部１２ａの上端部１２ａｂは、ケーシング２２の内側上部に位置し、上端部と下端部１２ａａとを結ぶ上面１２ａｄ及び下面１２ａｃの傾斜角度は、水平線に対して３５°〜４５°の範囲内に設定されている。なお、本実施形態では、第１熱交換部１２ａの上面１２ａｄ及び下面１２ａｃは、水平面に対して４０°傾斜している。
【００４９】
第１熱交換部１２ａで発生した結露水は、第１熱交換部１２ａの表面を伝って降下する。降下する結露水の大部分は、下面１２ａｃに到達するが、表面張力によって下面１２ａｃから離れることはない。下面１２ａｃは傾斜しているので、下面１２ａｃに到達した結露水は、下面１２ａｃに沿って降下し下端部１２ａａに到達する。下端部１２ａａに到達した結露水は、降下時の勢いでそのままドレンパン１４へ落下するものもあれば、先に下端部１２ａａに到達して落下できないでいる結露水と結合し重力を増してからドレンパン１４へ落下するものもある。
【００５０】
（３−２−２）第２熱交換部１２ｂ
図２において、第２熱交換部１２ｂの上端部１２ｂｂは、第１熱交換部１２ａの舌部１５の内側に近接して配置されており、上端部１２ｂｂと下端部１２ｂａとを結ぶ上面１２ｂｄ及び下面１２ｂｃの傾斜角度は、水平線に対して３５°〜４５°の範囲内に設定されている。なお、本実施形態では、第２熱交換部１２ｂの上面１２ｂｄ及び下面１２ｂｃは、水平面に対して４０°傾斜している。
【００５１】
第２熱交換部１２ｂの寸法は第１熱交換部１２ａより短く、上端部１２ｂｂの高さ位置は、第１熱交換部１２ａの上端部１２ａｂよりも低い。一方、下端部１２ｂａの高さ位置は、第１熱交換部１２ａの下端部１２ａａとほぼ同じ高さ位置である。
【００５２】
第２熱交換部１２ｂの下端部１２ｂａと第１熱交換部１２ａの下端部１２ａａとは水平距離Ｇを保って離されている。
【００５３】
距離Ｇを広げ過ぎると室内熱交換器の水平方向の寸法が拡大し、距離Ｇを狭め過ぎると室内熱交換器１２に対するファン１３の位置を高くせざるを得ない。両者のバランスを鑑みて距離Ｇは、室内熱交換器１２の最大水平寸法Ｂ（図２参照）の５〜２０％の範囲内に設定されることが望ましい。
【００５４】
（３−２−３）シール部材１７
シール部材１７は、図２に示すように、第２熱交換部１２ｂの下端部１２ｂａと第１熱交換部１２ａの下端部１２ａａとの隙間（距離Ｇ）を塞ぐ板金部材である。シール部材１７は、管板１２３に固定されている。
【００５５】
図５は、シール部材１７及び管板１２３の斜視図である。図５において、シール部材１７は、長手方向と直交する幅方向の中央部分に位置する中央片１７３と、中央片１７３の両端から中央片１７３に対して所定の傾斜角度で延びる第１片１７１及び第２片１７２とから成る。第１片１７１及び第２片１７２の自由端は、互いに離れる方向に延びている。
【００５６】
管板１２３には、予め、シール部材１７を挿入するための孔１２３ａがあけられている。孔１２３ａの形状は、シール部材１７の断面形状とほぼ一致する。
【００５７】
シール部材１７は、孔１２３ａに圧入することによって固定される。もちろん、シール部材１７と管板１２３との固定は、圧入だけに限らず、例えば、シール部材１７が孔１２３ａに挿入された後に、シール部材１７及び管板１２３のいずれか一方の挿入箇所の一部を変形させて固定してもよい。
【００５８】
図２に示すように、使用状態のシール部材１７は、上に凸の姿勢となる。第１熱交換部１２ａ又は第２熱交換部１２ｂをバイパスしようとして迂回してきた空気は、中央片１７３に衝突し、中央片１７３に隣接する第１片１７１に沿って第１熱交換部１２ａ側へ戻され、或いは、同じく中央片１７３に隣接する第２片１７２に沿って第２熱交換部１２ｂ側に戻される。
【００５９】
また、第１熱交換部１２ａ及び第２熱交換部１２ｂからシール部材１７上に滴下した結露水は、第１片１７１又は第２片１７２の傾斜に沿って流れ、下方に位置するドレンパン１４内に落下する。
【００６０】
（３−３）ファン１３
ファン１３は、クロスフローファンであり、幅寸法が直径よりも長く、回転軸と垂直な方向から空気を吸い込むので、単一の吸込口２０ａから空気を吸い込んで、単一の吹出口２０ｂへ吹き出すことができる。吸込口２０ａから入った空気は、フィルタ９、吸込空気流路４１ａ（図２参照）、室内熱交換器１２を通過してファン１３に吸い込まれる。
【００６１】
（３−４）ドレンパン１４
ドレンパン１４は、第１熱交換部１２ａの下端部１２ａａ及び第２熱交換部１２ｂの下端部１２ｂａの下方に配置されている。第１熱交換部１２ａ及び第２熱交換部１２ｂの表面で発生した結露水は、下端部１２ａａ及び下端部１２ｂａまで降下して、ドレンパン１４内に落下する。
【００６２】
（３−５）化粧パネル２１
化粧パネル２１は、図２に示すように、ケーシング２２の開口を閉じる。ドレンパン１４が、ケーシング２２の中央に位置し、ケーシング２２の開口面より鉛直下方に張り出しているので、化粧パネル２１の中央は、ドレンパン１４の張り出し部分を避けるように下方に湾曲している。
【００６３】
吸込口２０ａは中央を挟んで２箇所設けられており、一方は第１熱交換部１２ａに対応する第１吸込口２０ａａであり、他方は第２熱交換部１２ｂに対応する第２吸込口２０ａｂである。
【００６４】
吸込口２０ａには、パネル２４が取り付けられている。パネル２４には、空気が通過する複数の通風孔２４ａが形成されている。吹出口２０ｂには、第１風向調節羽根５２が取り付けられている。第１風向調節羽根５２は、モータによって傾斜角度の調節が可能であり、運転停止時は、第１風向調節羽根５２が吹出口２０ｂを閉じる。運転時は、吹出口２０ｂが開き、ファン１３が回転し、空気が吸込口２０ａから吸い込まれ、吹出口２０ｂから吹出される。
【００６５】
吸込口２０ａと吹出口２０ｂとは一定距離を隔てて隣接しており、吹出口２０ｂから吹き出された空気が吸込口２０ａに吸い込まれる現象、いわゆるショートサーキットが発生しないように、吹出口２０ｂに取り付けられた第１風向調節羽根５２によって吹出方向が適切に調整される。
【００６６】
（３−６）ケーシング２２
ケーシング２２は、図３に示すように、箱状の枠である。また、図２に示すように、ケーシング２２の内側には、断熱材４１が貼り付けられ、その断熱材４１で囲まれた空間内に、上からファン１３、室内熱交換器１２、ドレンパン１４が順に配置されている。その空間には、吸込空気流路４１ａ及び吹出空気流路４１ｂが形成されている。ファン１３から吹き出された空気は、吹出空気流路４１ｂを通過して吹出口２０ｂから出て行く。
【００６７】
ケーシング２２内では、ファン１３の外周面が第１熱交換部１２ａの上面１２ａｄ及び第２熱交換部１２ｂの上面１２ｂｄに対して、最短距離にして１０ｍｍ〜１５ｍｍの範囲で近接するように、両者の位置関係が調整されている。そのため、ファン１３の直径Ｄに対して、ケーシング２２の高さ寸法Ｌが２Ｄ以下とすることができ、小形化が図られている。
【００６８】
（４）特徴
（４−１）
室内ユニット２では、第１熱交換部１２ａの下端部１２ａａと第２熱交換部１２ｂの下端部１２ｂａとが水平方向に距離Ｇを保って互いに離れているので、第１熱交換部１２ａと第２熱交換部１２ｂとの間に位置するファン１３を室内熱交換器１２の下端側に寄せることができ、室内熱交換器１２に対するファン１３の高さ位置を隙間（距離Ｇ）が無い場合よりも低くすることができる。その結果、ケーシング２２の高さ寸法Ｌをファン１３の直径Ｄの２倍の寸法以下に設定することが可能となり、室内ユニット２の小形化が実現される。
【００６９】
（４−２）
室内ユニット２では、伝熱管１２１が３列配置されているので、室内ユニット２の小形化により室内熱交換器１２が小形化しても、容量低下とならない。
【００７０】
（４−３）
室内ユニット２では、伝熱管１２１の管径が４ｍｍ〜５ｍｍの範囲内に設定されることによって、室内ユニット２の小形化による室内熱交換器１２の小形化に対応することができる。
【００７１】
（４−４）
伝熱管１２１を支持する管板１２３には、強度的に伝熱管１２１よりも剛性が高く頑丈な金属材料が選択されるので、シール部材１７の支持に適している。
【００７２】
また、シール部材１７自体が頑丈になるので、シール部材１７が管板１２３に取り付けられた後の室内熱交換器１２全体の剛性が増し、組立時の取り扱いが容易になる。
【００７３】
（４−５）
室内ユニット２では、第１熱交換部１２ａの下端部１２ａａと第２熱交換部１２ｂの下端部１２ｂａとの隙間の距離Ｇを広げ過ぎると室内熱交換器１２の水平方向の寸法が拡大し、距離Ｇを狭め過ぎると室内熱交換器１２に対するファン１３の位置を高くせざるを得ない。両者のバランスを鑑みて距離Ｇは、室内熱交換器１２の最大水平寸法Ｂ（図２参照）の５〜２０％の範囲内に設定されている。
【００７４】
（５）変形例
上記実施形態では、シール部材１７は、孔１２３ａに圧入することによって固定するか、或いは、シール部材１７が孔１２３ａに挿入された後に、シール部材１７及び管板１２３のいずれか一方の挿入箇所の一部を変形させて固定することとしているが、ここでは、他の固定方法について説明する。
【００７５】
図６Ａは、変形例におけるシール部材１７及び管板１２３の固定前の斜視図である。また、図６Ｂは、変形例におけるシール部材１７及び管板１２３の固定後の斜視図である。
【００７６】
図６Ａ及び図６Ｂにおいて、管板１２３には、シール部材１７が挿入される切り欠き１２３ｂと、挿入後のシール部材１７を保持するための第１爪１２３ｃ及び第２爪１２３ｄが形成されている。
【００７７】
第１爪１２３ｃ及び第２爪１２３ｄは、シール部材１７が挿入される前は、図６Ａに示すように、それぞれ所定の方向に突出した状態を維持している。そして、シール部材１７が切り欠き１２３ｂに挿入されると、第１爪１２３ｃはシール部材１７の第１片１７１を押え込むように曲げられ、第２爪１２３ｄはシール部材１７の第２片１７２を押え込むように曲げられる。
【００７８】
この方法は、シール部材１７を除く室内熱交換器１２が組立てられた後に、シール部材１７を管板１２３に固定することができるので、作業性が良い。
【００７９】
（６）その他
本実施形態の室内ユニット２は、室内熱交換器１２とファン１３との近接化、伝熱管１２１の細径化による室内熱交換器１２の小形化等により、ケーシング２２の高さ寸法の小形を図り、室内ユニット２のコンパクト化を実現している。
【００８０】
ここでは、室内ユニット２のコンパクト化に伴い、実施した他の構成についても説明する。図７は、本発明の一実施形態に係る室内ユニットの内部を天井側から視たときの当該室内ユニット２の内部平面図である。
【００８１】
図７において、ドレンポンプ１４１は、ファン１３のファンモータ１３３よりも鉛直方向の位置は低いが、平面視では部分的に重なるように配置され、省スペース化を図っている。
【００８２】
また、ファン１３のファンロータ１３１をファンモータ１３３とは反対側から支える軸受１３５については、ファンロータ１３１のエンドプレートを窪ませた凹部１３１ａに嵌めこむことによって、ファン１３の回転軸方向の寸法を短縮している。
【産業上の利用可能性】
【００８３】
以上のように、本発明は、クロスフローファンを用いた小形の室内ユニットに有用である。
【符号の説明】
【００８４】
１      空気調和機
２      室内ユニット
１２    室内熱交換器
１２ａ  第１熱交換部
１２ｂ  第２熱交換部
１２１  伝熱管
１２３  管板
１３    ファン（クロスフローファン）
１７    シール部材
２２    ケーシング
【先行技術文献】
【特許文献】
【００８５】
【特許文献１】特開平９−１４５１４３号公報
【図１】
2017227423.tif 000003
【図２】
2017227423.tif 000004
【図３】
2017227423.tif 000005
【図４】
2017227423.tif 000006
【図５】
2017227423.tif 000007
【図６Ａ】
2017227423.tif 000008
【図６Ｂ】
2017227423.tif 000009
【図７】
2017227423.tif 000010